(57)【要約】【課題】受信信号品質の変化に応じたハンドオーバ起動を可能とする。【解決手段】移動端末は、通信中の第１無線基地局からの受信信号の品質、及び第１無線基地局との通信中に信号を受信可能な第２無線基地局からの受信信号の品質とを測定する測定部と、同一時間軸上に配置された第１無線基地局からの受信信号の品質の時間変化を示す第１波形と第２無線基地局からの受信信号の品質の時間変化を示す第２波形において、第２無線基地局からの受信信号の品質が前記第１無線基地局からの受信信号の品質を上回ることにより前記第１波形と前記第２波形とが交差した時点以降における、少なくとも第１波形の部分波形と第２波形の部分波形とで囲まれた領域の面積を求める演算部と、面積に関する値に応じて第１無線基地局から第２無線基地局へのハンドオーバ起動条件が満たされたと判定する判定部とを含む。【選択図】図１
2011077997.tif 000002
【特許請求の範囲】
【請求項１】
通信中の第１無線基地局からの受信信号の品質と、前記第１無線基地局との通信中に信号を受信可能な第２無線基地局からの受信信号の品質とを測定する測定部と、
同一時間軸上に配置された前記第１無線基地局からの受信信号の品質の時間変化を示す第１波形と前記第２無線基地局からの受信信号の品質の時間変化を示す第２波形において、前記第２無線基地局からの受信信号の品質が前記第１無線基地局からの受信信号の品質を上回ることにより前記第１波形と前記第２波形とが交差した時点以降における、少なくとも前記第１波形の部分波形と前記第２波形の部分波形とで囲まれた領域の面積を求める演算部と、
前記面積に関する値に応じて前記第１無線基地局から前記第２無線基地局へのハンドオーバ起動条件が満たされたと判定する判定部と
を含む移動端末。
【請求項２】
前記判定部は、前記面積が面積閾値以上の場合に前記第１無線基地局から前記第２無線基地局へのハンドオーバ起動条件が満たされたと判定する
請求項１に記載の移動端末。
【請求項３】
移動端末の移動速度を検出する検出部と、
移動速度に応じて前記面積閾値を補正する補正部と
をさらに含む請求項１に記載の移動端末。
【請求項４】
移動端末が備えるコンピュータに、
通信中の第１無線基地局からの受信信号の品質と、前記第１無線基地局との通信中に信号を受信可能な第２無線基地局からの受信信号の品質とを測定するステップと、
同一時間軸上に配置された前記第１無線基地局からの受信信号の品質の時間変化を示す第１波形と前記第２無線基地局からの受信信号の品質の時間変化を示す第２波形において、前記第２無線基地局からの受信信号の品質が前記第１無線基地局からの受信信号の品質を上回ることにより前記第１波形と前記第２波形とが交差した時点以降における、少なくとも前記第１波形の部分波形と前記第２波形の部分波形とで囲まれた領域の面積を求めるステップと、
前記面積に関する値に応じて前記第１無線基地局から前記第２無線基地局へのハンドオーバ起動条件が満たされたと判定するステップと
を実行させるためのプログラム。
【請求項５】
前記判定するステップでは、前記面積が面積閾値以上の場合に前記第１無線基地局から前記第２無線基地局へのハンドオーバ起動条件が満たされたと判定する
請求項４に記載のプログラム。
【請求項６】
移動端末の移動速度を検出するステップと、
移動速度に応じて前記面積閾値を補正するステップと、
をさらにコンピュータに実行させる請求項４に記載のプログラム。
【請求項７】
移動端末が、
通信中の第１無線基地局からの受信信号の品質と、前記第１無線基地局との通信中に信号を受信可能な第２無線基地局からの受信信号の品質とを測定し、
同一時間軸上に配置された前記第１無線基地局からの受信信号の品質の時間変化を示す第１波形と前記第２無線基地局からの受信信号の品質の時間変化を示す第２波形において、前記第２無線基地局からの受信信号の品質が前記第１無線基地局からの受信信号の品質を上回ることにより前記第１波形と前記第２波形とが交差した時点以降における、少なく
とも前記第１波形の部分波形と前記第２波形の部分波形とで囲まれた領域の面積を求め、
前記面積に関する値に応じて前記第１無線基地局から前記第２無線基地局へのハンドオーバ起動条件が満たされたと判定する
ことを含むハンドオーバ起動条件判定方法。
【請求項８】
前記面積が面積閾値以上の場合に前記第１無線基地局から前記第２無線基地局へのハンドオーバ起動条件が満たされたと判定する
請求項７に記載のハンドオーバ起動条件判定方法。
【請求項９】
移動端末の移動速度を検出し、
移動速度に応じて前記面積閾値を補正する、
ことをさらに含む請求項７に記載のハンドオーバ起動条件判定方法。
【発明の詳細な説明】
【技術分野】
【０００１】
本発明は、移動端末に関する。
【背景技術】
【０００２】
移動体通信システムにおいては、移動機が場所を移動した場合に、通信相手となる基地局を適切に切り替えることで通信を継続することができる。このような基地局の切替制御はハンドオーバと呼ばれる。
【０００３】
移動機は現在通信中の基地局である通信中基地局からの受信信号品質と、この通信中基地局の周辺に存する周辺基地局からの受信信号品質とを監視する。移動機の移動によって、通信中基地局及び周辺基地局からの受信信号品質がそれぞれ変化し、周辺基地局からの受信信号品質が通信中基地局からの受信信号品質を上回る状態が予め設定された一定時間継続したという条件下で、ハンドオーバが起動される。
【先行技術文献】
【特許文献】
【０００４】
【特許文献１】特表２００７−５０２５５８号公報
【特許文献２】特開２００８−９２３７８号公報
【発明の概要】
【発明が解決しようとする課題】
【０００５】
従来では、通信中基地局及び周辺基地局の通信品質の変化の度合いに寄らず、上述した条件が満たされるか否かによってハンドオーバ起動判定が行われていた。このため、移動機の高速移動、或いは建物の影響によって、通信中基地局からの受信信号品質が急激に劣化する場合には、ハンドオーバのタイミングが遅れる場合があった。また、周辺基地局からの受信信号品質が急激に上昇する場合にも、ハンドオーバのタイミングが遅れる場合があった。ハンドオーバのタイミングが遅れると、周辺基地局からの信号が通信中基地局の干渉波となって、通信中基地局からの受信品質が劣化し、呼切断に至る可能性がある。
【０００６】
また、従来では、さまざまな周辺環境変化のパターンに応じてハンドオーバ起動条件を変更する制御を行う場合は、パターン毎にハンドオーバ起動閾値またはオフセット値を設定していた。このため、ハンドオーバ起動閾値やオフセット値を予め格納するためメモリ領域の容量が大きくなっていた。
【０００７】
本発明の態様の一つの目的は、受信信号品質の急激な変化に応じた適正なハンドオーバ起動が可能な移動端末を提供することである。
【課題を解決するための手段】
【０００８】
本発明の態様の一つは、通信中の第１無線基地局からの受信信号の品質と、前記第１無線基地局との通信中に信号を受信可能な第２無線基地局からの受信信号の品質とを測定する測定部と、
同一時間軸上に配置された前記第１無線基地局からの受信信号の品質の時間変化を示す第１波形と前記第２無線基地局からの受信信号の品質の時間変化を示す第２波形において、前記第２無線基地局からの受信信号の品質が前記第１無線基地局からの受信信号の品質を上回ることにより前記第１波形と前記第２波形とが交差した時点以降における前記第１波形の部分波形と前記第２波形の部分波形とで少なくとも囲まれた領域の面積を求める演算部と、
前記面積に関する値に応じて前記第１無線基地局から前記第２無線基地局へのハンドオーバ起動条件が満たされたと判定する判定部と
を含む移動端末である。
【０００９】
本発明の他の態様は、上記した移動端末と同様の構成を備える移動端末のハンドオーバ起動条件判定方法、コンピュータプログラム、或いはコンピュータプログラムを記録した記録媒体を含むことができる。
【発明の効果】
【００１０】
本発明の態様の一つによれば、受信信号品質の急激な変化に応じた適正なハンドオーバ起動が可能となる。
【図面の簡単な説明】
【００１１】
【図１】実施形態における移動機の構成例を示す図である。
【図２】比較例としてのハンドオーバ制御の説明図である。
【図３】比較例としてのハンドオーバ制御の説明図であって、受信信号品質の変化が急激な場合を示す。
【図４】実施形態における移動機のハンドオーバ制御の例を示す説明図である。
【図５】実施形態における移動機のハンドオーバ制御の例を示す説明図であって、受信信号品質の変化が急激な場合を示す。
【図６】実施形態における移動機のハンドオーバ制御の例を示す説明図であって、受信信号品質の変化が緩慢な場合を示す。
【図７】面積算出の例を示す。
【図８】面積算出の例を示す。
【図９】実施形態における移動機の制御部による処理の例を示すフローチャートである。
【図１０】速度検出結果に応じた面積閾値の補正の例を示す。
【発明を実施するための形態】
【００１２】
以下、図面を参照して本発明の実施形態を説明する。実施形態の構成は例示であり、本発明は実施形態の構成に限定されない。実施形態では、少なくとも通信中基地局からの受信信号品質の波形と周辺基地局からの受信信号品質の波形とで囲まれた領域の面積を監視し、面積に関する値に応じてハンドオーバ起動条件が満たされるか否かを判定し、ハンドオーバ起動条件が満たされる場合にハンドオーバを起動する移動機（移動端末ともいう）について説明する。実施形態では、面積に関する値として、面積値があらかじめ設定した閾値を超えた場合にハンドオーバが起動される。
【００１３】
図１は、実施形態における移動機１００の構成例を示す。移動機１００は、無線基地局（以下単に“基地局”と表記）との間で無線通信を行う。図１には、基地局の例示として、基地局１と、基地局１の周辺に存する基地局２が示されている。各基地局１，２は、自局からの電波の届く範囲（セルと呼ばれる）に存する移動機との間で通信路を確立し、通信を行う。基地局１のセルと基地局２のセルとは隣接しており、移動機１００は、移動機自身の位置に応じて、基地局１からの信号と基地局２からの信号の双方を受信することができる。
【００１４】
移動機１００は、送受信アンテナ１０１と接続された無線送受信部１０２と、無線送受信部１０２に接続された制御部１０３を備えている。移動機１００は、基地局１及び２の一方、例えば基地局１と通信路を確立し、基地局１と通信を行うことができる。無線送受信部２は、基地局１へ送信すべき信号を生成する。生成された信号は、送受信アンテナ１０１から無線信号として送信される。
【００１５】
一方、無線送受信部１０２は、送受信アンテナ１０２で受信される基地局１からの信号
を受信し、制御部１０３へ送る。また、無線送受信部１０２は、基地局１との通信中において、基地局２からの信号を送受信アンテナ１０１を介して受信し、制御部１０３へ送ることができる。以下、基地局１を移動機１００と通信中の基地局、すなわち通信中基地局とし、基地局２を移動機１００が通信中基地局との通信中に信号を受信可能な非通信中基地局として説明する。
【００１６】
制御部１０３は、通信中基地局である基地局１からの受信信号品質と、非通信中基地局
である基地局２からの受信信号品質とに基づいて、通信すべき基地局を、基地局１から基地局２へ切り替えるハンドオーバ起動の判定を行う。
【００１７】
制御部１０３は、測定部としての受信信号品質測定部１０４と、演算部としての面積演
算部１０５と、記憶部としてのメモリ部１０６と、判定部としてのハンドオーバ起動条件判定部１０６と、補正部としての閾値補正部１０８と、検出部としての移動速度検出部１０９と、ハンドオーバ制御部１１０とを備えている。
【００１８】
受信信号品質測定部１０４は、基地局１及び２のそれぞれから受信される受信信号の品
質を示す品質値を測定周期毎に測定し、その履歴を保持する。受信信号の品質は、例えば、受信信号の受信電力，基地局からの送信電力と移動機での受信電力との差分を示す伝搬ロス，或いは信号対干渉波比（ＳＩＲ）で表すことができる。この例では、受信電力が受信信号品質の基準とされている。受信信号品質測定部１０４は、基地局２からの受信信号品質が基地局１からの受信信号品質を上回った時点で、この時点以降の受信信号品質の測定結果を面積演算部１０５に与え、面積の測定を指示する。
【００１９】
面積演算部１０５は、受信信号品質測定部１０４から受け取る、基地局１及び２の受信
信号品質の測定結果に基づき、基地局２からの受信信号品質が基地局１からの受信信号品質を上回ることによって、同一時間軸上に配置された基地局１からの受信信号品質の時間変化を示す波形（第１波形）及び基地局２からの受信信号品質の時間変化を示す波形（第２波形）とが交差した時点を基点として、この基点より後の二つの波形部分と、これらの二つの波形部分と交わり且つ時間経過に伴って進み方向に移動する時間軸に対して垂直な仮想の直線（“時間直線”と称する）とで囲まれた領域の面積を演算する。
【００２０】
ハンドオーバ起動条件判定部１０６は、面積演算部１０５で求められる面積と、メモリ
部１０７に予め格納された面積閾値、又は閾値補正部１０８から与えられる補正された面積閾値とを比較し、面積が面積閾値以上の場合に、ハンドオーバ起動条件が満たされたと判定し、ハンドオーバ制御部１１０に起動指示を与える。
【００２１】
ハンドオーバ制御部１１０は、起動指示に応じて、予め定められたハンドオーバ手順を
実行する。すなわち、通信中基地局である基地局２０１との切断処理を行う一方で、基地局２０２との接続処理を行う。
【００２２】
移動速度検出部１０９は、移動機１００の移動速度を検出する。例えば、移動速度検出
部１１０は、加速度センサを用いて実現可能である。或いは、移動速度検出部１０９は、ＧＰＳ(Global Positioning System)を利用して移動機１００の位置の時間変化から移動
速度を割り出すことで実現することもできる。
【００２３】
閾値補正部１０８は、メモリ部１０７に格納された閾値を読み出し、移動速度検出部１
０９で検出された移動速度に応じて閾値を補正し、ハンドオーバ起動条件判定部１０６に与える。
【００２４】
移動速度検出部１０９及び閾値補正部１０８は、オプションであり、省略が可能である
。なお、移動機１００は、移動速度検出部１０９及び閾値補正部１０８の図示しないオン／オフスイッチを有している。オン／オフスイッチがオンにされると、閾値補正部１０８で移動速度に応じて補正された閾値がハンドオーバ起動条件判定部１０６に与えられる。これに対し、オン／オフスイッチがオフにされると、ハンドオーバ起動条件判定部１０６はメモリ部１０７に格納された閾値を用いて判定処理を行う。
【００２５】
なお、制御部１０３に含まれる各ブロックは、例えば、専用のハードウェア回路を用い
て実現することができる。或いは、メモリ部１０７を除く各ブロックは、中央演算処理装置（ＣＰＵ）やディジタル・シグナル・プロセッサ（ＤＳＰ）のようなプロセッサ（コンピュータ）が、半導体メモリやハードディスクのような記録媒体に格納されたプログラムを実行することによって実現される機能であっても良い。メモリ部１０７は、半導体メモリやハードディスクのような記録媒体を用いて実現される。記録媒体は、ディスク記録媒体や可搬性を有する半導体メモリのような可搬性記録媒体を含む。
【００２６】
図２及び図３は、比較例としてのハンドオーバ制御の例を示す図であり、通信中基地局
と非通信中基地局との受信信号品質の逆転状態が所定時間が継続したときにハンドオーバが起動される方法を示す。図２，図３に示す各グラフの縦軸は基地局から受信される受信信号の品質（例えば受信電力）を表し、横軸は時間を表す。
【００２７】
移動機は最初に基地局１と通信を行っているものとする。ハンドオーバ起動のためのタ
イマｔ0 がハンドオーバ起動条件として設定されている。移動機の移動によって、基地局２から受信される受信信号の品質が時刻ｔ00 において基地局１から受信される受信信号
の品質を上回り、かつそのような状態が維持された時間Δｔがハンドオーバ起動タイマｔ0 で指定された時間を上回った場合に、ハンドオーバ起動条件が満たされ、移動機は時刻ｔ01 において基地局１から基地局２へのハンドオーバを実行する。
【００２８】
このような比較例におけるハンドオーバ制御では、図３に示すように、通信中基地局（
基地局１）および周辺基地局（基地局２）からの受信信号品質の変化が急激である場合には、ハンドオーバ起動条件が満たされる時刻ｔ01 の時点で基地局２の受信信号品質が基
地局１の受信信号品質を大きく上回って干渉波となる。このため、受信信号品質の劣化を招来したり、呼制御信号の送受信失敗によりハンドオーバに失敗することによる呼切断が発生したりする場合がある。
【００２９】
図４、図５、及び図６は、移動機１００におけるハンドオーバ制御の例を示す図である
。図４，５，６の各グラフにおける縦軸は、基地局１，２から受信される受信信号の品質（例えば受信電力）を表し、横軸は時間を表す。各グラフには、基地局１からの受信信号品質の時間変化を示す波形（第１波形）と、基地局２からの受信信号品質の時間変化を示す波形（第２波形）とが同一時間軸上に配置されている。
【００３０】
移動機１００は、最初に基地局１と通信を行っていると仮定する。また、ハンドオーバ
起動のための面積閾値ｓ0 がハンドオーバ起動条件としてメモリ部１０７に予め格納されている。
【００３１】
移動機１００の移動によって、基地局２から受信される受信信号の品質が基地局１から
受信される受信信号品質以上となった時点（時刻ｔ10 ）時点から、移動機１００の面積
演算部１０５は、各波形と時間直線Ｌ（一点鎖線で示される）とで囲まれた領域の面積ｓの測定を開始し、ハンドオーバ起動条件判定部１０６は、測定された面積ｓを監視する。時間直線Ｌは、時間経過に従って未来方向に水平移動する。よって、受信信号品質の逆転
が再度発生しない限り、時間経過とともに面積ｓは大きくなる。
【００３２】
ハンドオーバ起動条件判定部１０６は、面積ｓがハンドオーバ起動のための面積閾値ｓ0
以上になった時点（時刻ｔ11 ）で、ハンドオーバ制御部１１０を起動させて、基地局１から基地局２へのハンドオーバを実行する。
【００３３】
実施形態によれば、図５に示すように、通信中基地局（基地局１）の受信信号品質の劣
化、または周辺基地局（基地局２）の受信信号品質の上昇が急激である場合、すなわち、逆転した受信信号品質間の差分が急激に大きくなる場合には、面積ｓの拡大速度が早まるので、面積ｓが面積閾値ｓ0 に達するまでの時間が短縮される。図５に示す例は、図４に示す例よりも、差分が急激に大きくなっており、時刻ｔ10 から時刻ｔ11 までの時間が短くなっている。
【００３４】
このように、品質の差分が急激に大きくなる場合には、ハンドオーバ起動条件（ｓ≧ｓ0）が満たされるまでの時間が短縮される。よって、比較例（図２、図３）に比べて早いタイミングでのハンドオーバ起動が可能となる。
【００３５】
これに対し、図６に示すように、通信中基地局（基地局１）の受信信号品質の時間変化
及び周辺基地局（基地局２）の受信信号品質の時間変化が緩慢な場合においては、ハンドオーバ起動条件（ｓ≧ｓ0）が満たされるまでの時間が延伸される。これによって、ハン
ドオーバの誤動作が抑制され、周辺環境に応じて安定した通信品質を維持することが可能である。
【００３６】
図７及び図８は、面積演算部１０５による面積計算の例を示す。図８は、図７のグラフ
中の楕円で囲まれた部分の詳細を示す。以下のようにして、面積ｓは、近似直線を用いた台形面積計算によって求めることができる。
【００３７】
時刻ｔnにおける基地局１の受信信号品質及び基地局２の受信信号品質をそれぞれｆ(ｔn)、ｇ(ｔn)と定義する。また、時刻ｔn-1と時刻ｔnの間においてそれぞれの受信信号品質波形で囲まれた領域の面積をｓ(ｔn)と定義する。移動機１００において周辺基地局から
の受信信号品質を測定するために予め規定された測定周期をＴと定義する。時間直線Ｌは、測定周期Ｔ毎に進み方向に移動する。これらの定義において、部分面積ｓ(ｔn)は次の
近似式（１）によって求めることができる。
【００３８】
【数１】
2011077997.tif 000003
従って、基地局２からの受信信号品質が基地局１からの受信信号品質を上回った時刻ｔ0 から時刻ｔまでの、基地局１からの受信信号品質波形と基地局２からの受信信号品質波形で囲まれた領域の面積ｓは次式（２）によって求められる。すなわち、面積ｓは、測定周期Ｔ毎に測定された部分面積ｓ(ｔn)の累積値となる。
【００３９】
【数２】
2011077997.tif 000004
式２によって求められた面積ｓの値が、予め規定された面積閾値ｓ0 以上になった場合
に、移動機１００は、基地局１から基地局２へのハンドオーバを起動する。
【００４０】
図９は、制御部１０３によるハンドオーバ起動判定の制御例を示すフローチャートであ
る。図９に示す処理は、例えば、移動機１００が基地局１との通信を開始することを契機に開始される。
【００４１】
最初に、制御部１０３は、測定周期Ｔを示す時刻ｔの値ｎを０にセットする（ステップ
Ｓ０１）。次に、受信信号品質測定部１０４は、時刻ｔ0における基地局１及び基地局２
からの受信信号品質をそれぞれ測定し（ステップＳ０２）、周辺基地局である基地局２からの受信信号品質値が通信中基地局である基地局１からの受信信号品質値を上回るか否かを判定する（ステップＳ０３）。
【００４２】
基地局２からの受信信号品質が通信中基地局である基地局１からの受信信号品質値を上
回らない場合（Ｓ０３のＮＯ）には、処理がステップＳ０１に戻される。これに対し、基地局２からの受信信号品質が通信中基地局である基地局１からの受信信号品質値を上回る場合（Ｓ０３のＹＥＳ）には、速度検出部１０９がオンとなっているか否かが判定される（ステップＳ０４）。
【００４３】
速度検出部１０９がオフであれば（Ｓ０４のＮＯ）、ハンドオーバ起動条件判定部１０
６は、メモリ部１０７に格納された面積閾値ｓ0を取得し、処理がステップＳ０７に進む
。これに対し、速度検出部１０９がオンであれば（Ｓ０４のＹＥＳ）、速度検出部１０９が移動機１００の移動速度を検出し（ステップＳ０５）、閾値補正部１０８がメモリ部１０７に格納された面積閾値ｓ0を補正した値を面積閾値ｓ0としてハンドオーバ起動条件判定部１０６に与える（ステップＳ０６）。
【００４４】
次に、面積測定部１０５は、上述した式（１）に基づき部分面積ｓ(ｔn)を算出し（ステップＳ０７）、部分面積ｓ(ｔn)の累積値、すなわち面積ｓを求め、ハンドオーバ起動条
件判定部１０６に与える（ステップＳ０８）。
【００４５】
すると、ハンドオーバ起動条件判定部１０６は、面積ｓと面積閾値ｓ0とを比較し、面積ｓが面積閾値ｓ0以上か否かを判定する（ステップＳ０９）。ここで、面積ｓが面積閾値
ｓ0未満である場合（Ｓ０９のＮＯ）には、制御部１０３が、ｎの値に１を加算し、処理
をステップＳ０２に戻す。その後、次の時刻ｔ1における処理が行われる。
【００４６】
これに対し、面積ｓが面積閾値ｓ0以上である場合（Ｓ０９のＹＥＳ）には、ハンドオーバ起動条件判定部１０６がハンドオーバ起動条件が満たされたと判定し、ハンドオーバ制御部１１０を起動させる。これにより、基地局１から基地局２へのハンドオーバが実行される。
【００４７】
なお、一巡目のステップＳ０７及びＳ０８、すなわち、ｎ＝０では、正常な面積演算が
できないので、例えば、ステップＳ０８で面積ｓは０として出力され、２巡目から正常な面積演算が実行される。
【００４８】
また、上述したフローチャートにおけるステップＳ０４〜Ｓ０６までの処理と、ステッ
プＳ０７及びＳ０８の処理は、順序入れ替え可能である。また、並列に実行されるようにしても良い。
【００４９】
ところで、移動機１００が加速度センサ等で実現される速度検出部１０９を持つ場合に
は、高速移動時（移動速度が所定のマイナス補正閾値以上の場合）に面積閾値ｓ0 にマイナスオフセットを与える補正を閾値補正部１０８が行うことによって、面積閾値への到達
時間を短縮し、ハンドオーバ起動をより迅速に行うことができる。
【００５０】
或いは、移動機１００の準静止状態や低速移動時（移動速度が所定のプラス補正閾値未
満の場合）では、閾値補正部１０８が面積閾値ｓ0 にプラスオフセットを与えることによって、面積閾値への到達時間を延伸し、ハンドオーバ起動の誤動作をより抑止する制御を行ってもよい。
【００５１】
図１０は、速度検出部１０９による速度検出結果に基づき閾値補正部１０８が面積閾値
ｓ0 を補正する場合の例を示す。速度検出結果の基準となる値を基準値ｖとする。メモリ部１０７より読み出した面積閾値ｓ0 に対し、速度検出結果が基準値ｖよりも大きい値ｖ”である場合、すなわち高速移動中であることが検出された場合には、閾値補正部１０８は、面積閾値ｓ0  にマイナスオフセットを与えてｓ0 ’に補正する。また、速度検出結
果が基準値ｖよりも小さい値ｖ’である場合、すなわち準静止状態や低速移動中であることを検出した場合には、閾値補正部１０８は、面積閾値ｓ0  にプラスオフセットを与え
てｓ0 ”に補正する。
【００５２】
実施形態によると、通信中基地局からの受信品質波形と、周辺基地局からの受信品質波
形と、時間直線とで囲まれた領域の面積を算出して累積し、この累積値があらかじめ設定したハンドオーバ起動条件を超えた場合にハンドオーバを起動する。すなわち、通信中基地局と周辺基地局からの受信信号品質の変化の度合いに応じて時間方向のハンドオーバ起動条件を動的に変化させる制御が行われる。
【００５３】
したがって、実施形態によれば、面積に関する値に応じてハンドオーバ起動条件が満た
されるか否かが判定されるので、通信中基地局からの受信信号品質の劣化、または周辺基地局からの受信信号品質の上昇が急激である場合においては時間方向のハンドオーバ起動条件が短縮されるため早いタイミングでのハンドオーバ起動が可能である。一方、通信中基地局と周辺基地局からの受信信号品質の変化が緩慢な場合においては、時間方向のハンドオーバ起動条件が延伸されるためハンドオーバの誤動作を防ぐため、周辺環境に応じて安定した通信品質を維持することが可能である。
【００５４】
また、実施形態によれば、ハンドオーバ起動閾値が面積で設定される。このため、さま
ざまな周辺環境変化のパターンに対するハンドオーバ起動閾値を格納するメモリ領域を少なくすることが可能である。
【００５５】
なお、実施形態で説明したハンドオーバ制御は、同一周波数間（Intra-frequency）ハンドオーバ処理や異周波数間（Inter-frequency）ハンドオーバ処理や異システム間（Ｉｎ
ｔｅｒ-ＲＡＴ（Radio Access Technology））ハンドオーバ処理のいずれに対しても適用が可能である。
【００５６】
また、実施形態では、通信中基地局以外の基地局として一つの基地局２が存在する場合
の例を示したが、通信中基地局と異なる複数の周辺基地局から移動機１００が信号を受信できる場合には、各周辺基地局毎に、上記した面積測定及びハンドオーバ起動条件判定が行われるようにすることができる。
【００５７】
また、実施形態では、受信信号品質、すなわち無線品質の指標となる品質パラメータが
受信電力である場合について説明したが、受信電力の代わりに伝搬ロスやＳＩＲなどを適用できる。このような無線品質パラメータを操作するための操作部又はインタフェースを移動機１００がさらに備える構成を採用することができる。
【符号の説明】
【００５８】
１，２・・・無線基地局
１００・・・移動機（移動端末）
１０１・・・送受信アンテナ
１０２・・・無線送受信部
１０３・・・制御部
１０４・・・受信信号品質測定部
１０５・・・面積演算部
１０６・・・ハンドオーバ起動条件判定部
１０７・・・メモリ部
１０８・・・閾値補正部
１０９・・・速度検出部
【図１】
2011077997.tif 000005
【図２】
2011077997.tif 000006
【図３】
2011077997.tif 000007
【図４】
2011077997.tif 000008
【図５】
2011077997.tif 000009
【図６】
2011077997.tif 000010
【図７】
2011077997.tif 000011
【図８】
2011077997.tif 000012
【図９】
2011077997.tif 000013
【図１０】
2011077997.tif 000014